(57)【特許請求の範囲】
【請求項１】
原料植物が異なる数種のデンプン系組成物を蒸し上げ混練することにより餅生地とし、これを一旦圧延して乾燥硬化後、太さの約１０〜２０倍となる約４０〜１００mmの長さを備えた角棒状のペレットにカット加工し、これを引き続き焼き上げ膨化させることにより、その表面形状と浮力が個体毎の不均一な擬似餌として仕上げ、
その擬似餌の多数を砂と混合させた約３００〜４００ｇの投げ込み用団塊として、これを水溶性包装袋に封入したことを特徴とする集魚用包装擬似餌。
【請求項２】
デンプン系組成物が約４５〜５５重量％の小麦粉とその約半分づつのコーンスターチ並びにタピオカデンプンを主成分とし、残余の重量比率分だけ植物油と砂糖を含有することを特徴とする請求項１記載の集魚用包装擬似餌。
【請求項３】
ペレットを押し切り刃物により、その両端部での太さが相違変化するようにカット加工したことを特徴とする請求項１又は２記載の集魚用包装擬似餌。
【請求項４】
長さや太さが異なる擬似餌の多数を混合状態として、水溶性包装袋へ封入したことを特徴とする請求項１又は２記載の集魚用包装擬似餌。
【請求項５】
砂として３号又は４号の珪砂を採用する一方、水溶性包装袋としてポリビニルアルコールの青系着色フィルムを採用したことを特徴とする請求項１又は２記載の集魚用包装擬似餌。
【発明の詳細な説明】
【技術分野】
【０００１】
本発明はカツオやブリの１本釣り漁業におけるイワシなどの活き餌に代えて、漁船上から海中へ投げ込まれる集魚用の包装擬似餌に関する。
【背景技術】
【０００２】
この種の集魚用擬似餌として、特開平１０−１９１８３５号が提案されている。
【０００３】
これは「デンプン、ポリビニルアルコールおよび水を含む組成物を、棒状に溶融押し出すことにより形成した発泡棒状体であって、該棒状体が頭尾形状に加工されていることを特徴とするデンプン系発泡体擬似餌」に係り、その明細書の段落〔００２１〕には全長１２０mmの擬似餌を１２本束ね、紙製の砂袋で巻き、水溶性のフィルムで接着して止めた全重量が４００ｇの餌束として、カツオ漁船上から海中へ投入する旨も記載されている点で、本発明に最も近似した公知技術であると考えられる。
【特許文献１】特開平６−３１９４１３号公報
【特許文献２】特開平１０−１９１８３５号公報
【特許文献３】特開２００３−１８０１９９号公報
【発明の開示】
【発明が解決しようとする課題】
【０００４】
ところが、上記公知発明のデンプン系発泡体擬似餌ではその主成分のデンプンがコーンスターチの１種であるに過ぎず、しかも成形加工性と強度向上のためのポリビニルアルコール並びに発泡体としての成形精度を昂める水も配合した組成物を、２軸又は１軸の押出機で１５０℃〜１８０℃（樹脂温度）のもとに、押し出し発泡させ乍ら引き取る方法によって製造されるようになっている。
【０００５】
そのため、低コストで大量生産できる利点がある反面、あくまでも１種のコーンスターチが主成分をなす押出発泡成形品として、その擬似餌の太さと表面が一定不変の美しい形状に仕上がることとなる。その結果、このような成形後のカット加工によって、仮令頭尾形状の区別を与えたとしても、その太さと表面形状の一定不変な規則性が根本的に破壊されてしまうことはなく、個体毎のアットランダム化が甚だ困難である。
【０００６】
そうすると、上記発泡体擬似餌を海中へ投入使用した場合にも、その個体の動きは機械量産的に与えられる一様なものとなり、あたかもイワシなどの活き餌がその塊まる群れから、個体毎のアットランダムな方向へ散り出し自走する如き、その沈降した当初の深さ位置から横方向や斜め上方へと広く、且つ多様に遊泳運動せず、その活き餌と異なる不自然な動きに起因して、対象魚であるカツオやブリの索餌本能を未だ有効に刺激することができない。
【課題を解決するための手段】
【０００７】
本発明はこのような課題の改良を目的としており、その目的を達成する集魚用包装擬似餌の構成上、請求項１では原料植物が異なる数種のデンプン系組成物を蒸し上げ混練することにより餅生地とし、これを一旦圧延して乾燥硬化後、太さの約１０〜２０倍となる約４０〜１００mmの長さを備えた角棒状のペレットにカット加工し、これを引き続き焼き上げ膨化させることにより、その表面形状と浮力が個体毎の不均一な擬似餌として仕上げ、
【０００８】
その擬似餌の多数を砂と混合させた約３００〜４００ｇの投げ込み用団塊として、これを水溶性包装袋に封入したことを特徴とする。
【０００９】
又、請求項２ではデンプン系組成物が約４５〜５５重量％の小麦粉とその約半分づつのコーンスターチ並びにタピオカデンプンを主成分とし、残余の重量比率分だけ植物油と砂糖を含有することを特徴とする。
【００１０】
請求項３では、ペレットを押し切り刃物により、その両端部での太さが相違変化するようにカット加工したことを特徴とする。
【００１１】
請求項４では、長さや太さが異なる異なる擬似餌の多数を混合状態として、水溶性包装袋へ封入したことを特徴とする。
【００１２】
更に、請求項５では砂として３号又は４号の珪砂を採用する一方、水溶性包装袋としてポリビニルアルコールの青系着色フィルムを採用したことを特徴とする。
【発明の効果】
【００１３】
請求項１の上記構成によれば、多数の擬似餌を砂と混合させた約３００〜４００ｇの投げ込み用団塊として、これを水溶性の包装袋に封入してあるため、その製品−包装擬似餌を漁船上へ整然と積み込むことができ、これを誰でも片手で確実に握り持ちつつ、漁船上から海中へすばやく遠投し得るのであり、その投げ込み使用上の好機を逸するおそれがない。
【００１４】
そして、その海中に投げ込まれた包装擬似餌は、砂の重量により海面から例えば約２〜３ｍの所定深さまで沈降し、やがて水溶性の包装袋が溶解するや否や、多数の棒状擬似餌だけがその当初の深さ位置から、一挙に飛び出す如く自走遊泳運動し始め、海面に向かって直線的や曲線的に浮上することとなる。
【００１５】
その場合、擬似餌のそれ自身は上記構成から明白なように、原料植物が異なる数種のデンプン系組成物を蒸し上げ混練することにより餅生地とし、これを一旦圧延して乾燥硬化後、太さの約１０〜２０倍となる約４０〜１００mmの長さを備えた角棒状のペレットにカット加工し、これを引き続き焼き上げ膨化させることにより、その表面形状と浮力が個体毎の不均一に仕上げられているため、上記擬似餌の遊泳運動はイワシなどの活き餌を模写したそれとして、海中に沈降した当初の深さ位置から横方向や斜め上方へ広範囲に、しかも個体毎のアットランダムにすばやく自走拡散する如く、千変万化の多様に発揮されるのであり、対象魚であるカツオやブリの索餌本能を有効に刺激することができる。
【００１６】
つまり、本発明の上記構成を備えた擬似餌は、冒頭に述べた特開平１０−１９１８３５号発明と異って、原料植物が異なる数種のデンプンを含む組成物から成り、しかもその約４０〜１００mmの長さにカット加工した角棒状のペレットを、引き続き焼き上げ膨化させたものであるため、その最終的な焼き上げ膨化作用のタイミングが上記デンプンの数種間において異なり、その結果表面が自然な凹凸状に歪み変形し、長さや太さ、浮力も個体毎のアットランダムとなって、言わば手作り焼成した「あられ」（米菓）のような規則性を一切有さない多様な仕上がり状態を得ることができ、このような不揃いが却って活き餌の自走遊泳運動を擬装することに役立つのである。
【００１７】
特に、請求項２の構成を採用するならば、上記擬似餌の主成分である小麦粉を、これとの異種なコーンスターチとタピオカデンプンによって、確固に粘結一体化させることができ、しかもそのデンプンの過多な膨化作用に起因する強度不足を砂糖によって、又海中での早く溶解消失してしまうおそれを植物油の被膜によって、何れも効果的に予防し得るのであり、上記遊泳運動に必要な滞溜時間の確保に役立つほか、すべて食品材料から成る擬似餌として、人体の安全性にも優れる。
【００１８】
請求項３の構成を採用するならば、棒状擬似餌の両端部における浮力を確実に相違変化させることができ、その擬似餌が大きな浮力を与えられた一端部から、海面に向かってすばやく浮上するため、その自走遊泳運動が活き餌のそれを一層如実に印象づけることとなる。
【００１９】
又、請求項４の構成を採用するならば、擬似餌がその長さや太さの異なる多数として、水溶性包装袋へ混合状態に封入されているため、上記擬似餌の自走方角や遊泳時間などを確実に多様化させることができ、逃げ迷うような活き餌の遊泳運動を擬装することに役立つ。
【００２０】
更に、請求項５の構成を採用するならば、３号珪砂又は４号珪砂が上記擬似餌における太さや長さとの相関々係上、最も馴染みやすい粒度を備えており、投げ込み用団塊を包装袋へ封入した状態において、その空隙を効果的に詰めることができ、封入空気の浮力により所要深さまで沈降しないおそれを予防し得るのである。
【００２１】
他方、その団塊を封入した包装袋は、ポリビニルアルコールのフィルムから成るため、大気中において破れるおそれなく、一握り程度の丸い団塊に便利良く保形することができるほか、その青系着色（保護色）が対象魚のカツオやブリを魅き寄せることに役立つ。しかも、水溶性として経時的に溶解消失する結果、海水を汚染するおそれもない。
【発明を実施するための最良の形態】
【００２２】
以下、図面に基いて本発明の具体的構成を詳述すると、図１はその本発明の集魚用包装擬似餌（Ａ）を示しており、これはデンプン系組成物から焼き上げ膨化された棒状擬似餌（１）の多数と、砂（２）との混合物を水溶性包装袋（３）の内部へ、片手での握り持ち可能な約３００〜４００ｇの投げ込み用団塊として封入した製品である。
【００２３】
上記擬似餌（１）は、小麦粉とコーンスターチ並びにタピオカデンプンと云う原料植物が異なる合計３種のデンプンを主成分として、これに植物油と砂糖を添加した含水組成物（デンプン系組成物）であり、その好ましい配合比率（乾量基準）を下記の表１に示す。  
【００２４】
【表１】
0003722292.tif 000002
【００２５】
デンプン粒子としては、その形状や大きさなどが原料植物毎に異なるため、上記３種を主成分として含有することにより、後述する焼き上げ膨化作用のタイミングを自づと相違させることができ、仕上がる擬似餌（１）に表面形状の凹凸変化や浮力の大小、その他の多様性を与え得る。
【００２６】
上記タピオカデンプンは高い粘性を有するバインダーとして、小麦粉並びにコーンスターチとの結合一体化を図るものであるが、これに代る米粉を採用しても良く、要するに上記３種のデンプン配合比率としては、小麦粉の約４５〜５５重量％と、その約半分づつのコーンスターチ並びにタピオカデンプン（又は米粉）を含有すれば足りる。
【００２７】
原料植物が異なる上記３種のデンプンから成るとしても、そのデンプンのみでは膨化作用の過多により、擬似餌（１）として脆弱になるおそれがあるため、これを砂糖の微量添加によって予防する。
【００２８】
又、同じくデンプンのみでは吸湿性により早く溶解消失して、海中での必要な滞溜時間を確保することができず、このことは海水温度の高い漁場において起りやすい関係上、擬似餌（１）に耐水性を与えるため、大豆油やその他の植物油も添加するのである。
【００２９】
上記擬似餌（１）の製造に当っては、そのデンプン系組成物に先ず少量の湯水を注ぎ、蒸気で蒸し乍ら攪拌機により混練して、一旦餅生地に形作り、その柔軟な餅生地をプレスロールの向かい合う上下相互間に通過させて、一定な厚みと帯幅の平板形態に圧延した後、約２４時間放置することにより、自然乾燥させる。
【００３０】
次いで、その乾燥硬化した上記平板形態の餅生地を、押し切り刃物や高速の回転刃物により、短冊状に幅切りすると共に長さ切りして、図２のような角棒状のペレット（４）を得る。その太さの一例は約２mm×３mm、長さの一例は約７０mmである。茲に、ペレット（４）は上記乾燥硬化に起因して、若干反り曲がることもあるが、追って仕上がる擬似餌（１）としての支障は一切ない。
【００３１】
そして、最後に上記角棒状ペレット（４）の多量（例えば約２０Kg）を、その均一な加熱用の砂と一緒に回転釜へ投入して、約１５０〜１８０℃のもとに一定時間（例えば約３０分間）だけ焼き上げるのである。
【００３２】
そうすれば、先に例示した約２mm×３mmの太さと約７０mmの長さを備えた角棒状ペレット（４）が、約４mm×６mmの太さと約７２mmの長さに膨化して、図３のような表面が凹凸変化した棒状の擬似餌（１）に仕上がる。その焼き上げるも、長さ方向に沿っては殆んど膨化しない。
【００３３】
そのペレット（４）から膨化作用するタイミングは、上記小麦粉とコーンスターチ並びにタピオカデンプンと云う原料植物毎に異なるため、基本的には棒状を呈しつつも、その表面形状と浮力が個体毎に千差万別の擬似餌（１）を得られることとなり、この不均一さがイワシなどの活き餌における自走遊泳運動を擬装することに役立つのである。
【００３４】
その場合，加熱温度が約１５０℃よりも低いと、充分な膨化作用を得られず、浮力の低下を招くことになる一方、約１８０℃よりも高いと、炭化により脆弱となるほか、凹凸変化が無くなり、濃く褐色化することにもなるため、上記活き餌の擬装効果を与えることができない。
【００３５】
仮りに、約１５０〜１８０℃の加熱温度であっても、上記ペレット（４）をフライとして揚げると、その油が海面に浮き出して、海水を汚染することになるため、あくまでも焼くことにより、その汚染防止を図るのである。
【００３６】
上記擬似餌（１）のサイズは活き餌の代用品として、経験則上イワシのそれとほぼ同じく、約４０〜１００mmの長さとその約１／１０〜１／２０に相当する太さ（例えば約４mm〜６mm）に寸法化する。
【００３７】
その擬似餌（１）の長さが約４０mmよりも短かいと、横方向や斜め方向へ自走する遊泳運動に乏しく、海面に向かって単純に浮上するだけとなる。逆に、同じく長さが約１００mmよりも長いと、小刻みのすばやい遊泳運動を生じ難いほか、包装袋（３）への封入作業や封入状態、海中への投げ込み時などに、擬似餌（１）を折損してしまうおそれも増す。
【００３８】
又、擬似餌（１）の太さが平均的に約４mmよりも細いと、やはり取扱い上折損しやすいばかりでなく、海面に向かう浮上やその他の遊泳運動速度が遅くなり、活き餌を擬装することができない。他方、平均的に約６mmよりも太いと、海面まで早く浮上してしまうため、海中での遊泳運動に必要な滞溜時間が不足する。
【００３９】
要するに、擬似餌（１）の長さは遊泳運動に関係する一方、同じく太さは浮力（浮上時間）に関係するため、上記太さの約１０〜２０倍となる約４０〜１００mmの許容長さ範囲内において、そのサイズを相関的にバランス良く設定する。
【００４０】
特に、擬似餌（１）のＬサイズ、Ｍサイズ並びにＳサイズを製造し、その長さや太さが異なる各種を混合状態として、包装袋（３）へ封入することにより、上記擬似餌（１）の個体毎に表面形状や浮力が不均一であることとも相俟って、四方八方への一層多様な遊泳運動を営なませることが好ましい。
【００４１】
更に、上記擬似餌（１）の製造工程において、その餅生地の平板形態からペレット（４）に加工する際、押し切り刃物を使用することにより、図４のようなペレット（４）の一端部が太く、他端部が細くなる所謂先細り形態の斜めにカットして、これを焼き上げ膨化させることが望ましい。図５、６はその膨化した擬似餌（１）を示している。
【００４２】
そうすれば、その擬似餌（１）は浮力の大きな太い一端部を頭部として、海面に向かう確実な遊泳運動を行なうため、活き餌のそれを一層完全に擬装することができ、対象魚の捕食本能を大いに刺激し得るのである。
【００４３】
先に一言した水溶性包装袋（３）は、ポリビニルアルコール（ＰＶＡ）を主成分とする厚み：約３０μｍの熱可塑性フィルム（例えば商品名「トスロン」）から、図７のような予じめ約１００×２００mmの長方形な袋としてヒートシール加工されたものであり、その無色・透明でも勿論さしつかえないが、海中での保護色となる青系の着色を与えたり、更にはその青系着色に加え、白色の斑点模様や各種縞模様なども施したりして、対象魚に視覚反応を与え、その魅き寄せ効果を昂めることが望ましい。
【００４４】
そして、このような包装袋（３）の内部へ上記擬似餌（１）の多数（例えば約５０〜６０本又は約３０〜３５ｇ）を砂（２）と一緒の混合状態として封入することにより、図１のような誰でも片手で握り持てる約３００〜４００ｇの丸い投げ込み用団塊に仕上げる。その際、擬似餌（１）における長さや太さの異なる各種を、多数の混合状態として封入することが好ましいことは、既に説明した通りである。
【００４５】
何れにしても、水溶性包装袋（３）は上記大きさの袋として予じめ形成されているため、その投げ込み用団塊への封入作業を容易に行なえ、僅かな水分の添加により、その開口部を確実に安定良く密閉することができ、特別の接着剤や締付け用具などを必要としない。それでも、投げ込み使用上不慮に開封してしまったり、破裂したりするおそれはない。
【００４６】
又、上記砂（２）としては比重：約２．２、ＰＨ：約６．５の３号珪砂又は４号珪砂を採用することが好ましい。そうすれば、これと一緒に混合する上記擬似餌（１）との相関々係上、その粒度が最も馴染み良く密着して、空隙を生成してしまうおそれがなく、その包装袋（３）内での封入空気により、海中の所要深さまで沈降しないおそれを予防することができる。
【００４７】
本発明の集魚用包装擬似餌（Ａ）は上記のように構成されているため、対象魚であるカツオやブリの１本釣り漁業に当り、これを漁船（Ｂ）に積み込んで漁場へ出航し、所謂鳥山を発見するや否や、その場所へ漁船（Ｂ）上から図８のように包装擬似餌（Ａ）を一斉に投げ込むのである。
【００４８】
そうすれば、先に例示した重量の包装擬似餌（Ａ）は、海面から約２〜３ｍの所定深さ（ｄ）まで沈降して、その水溶性包装袋（３）が溶解するや否や、図９のように砂（２）が落下する一方、多数の擬似餌（１）はそれまでの団塊からバラバラになって、一挙にすばやく飛び出し自走する如く、横方向や斜め上方などの四方八方へ広範囲に、しかも直線的や曲線的に遊泳運動し乍ら海面へ向かい、一例として約２０秒経過後には自づと溶解消失する。
【００４９】
つまり、上記擬似餌（１）はデンプン系組成物の焼き上げ膨化によって、表面形状や浮力などの相違変化する多様性が与えられているため、、その擬似餌（１）の遊泳運動する距離や方角、速度、姿勢、滞溜時間などは、個体毎のアットランダムに発揮されることとなり、活き餌の自然な自走遊泳運動を擬装することができる。
【００５０】
しかも、溶解するまでの包装擬似餌（Ａ）は、活き餌のイワシ群として認知される団塊であり、その団塊から一斉に散り出して、四方八方へ自走遊泳運動する上記擬似餌（１）の多数が、あたかも群団から逃げ惑うイワシの一匹づつを、対象魚のカツオやブリに印象づけることになる結果、その対象魚の索餌本能を確実に刺激することができ、その優れた集魚効果を得られるのである。
【００５１】
そして、このような集魚効果と対象魚の釣り果は、特に請求項３や請求項４の構成を採用することにより、ますます向上させることができ、その水溶性包装袋（３）に対する擬似餌（１）と砂（２）の封入作業も、アットランダムでの容易に行なえるため、著しく実用的であると言える。
【図面の簡単な説明】
【００５２】
【図１】本発明に係る集魚用包装擬似餌の断面図である。
【図２】ペレットを抽出して示す斜面図である。
【図３】図２のペレットから膨化した擬似餌を示す側面図である。
【図４】別なペレットを抽出して示す斜面図である。
【図５】図４のペレットから膨化した擬似餌を示す斜面図である。
【図６】図５の側面図である。
【図７】包装袋を抽出して示す斜面図である。
【図８】集魚用包装擬似餌の投げ込み状況を示す説明図である。
【図９】その多数の擬似餌が自走遊泳する運動状況を示す説明図である。
【符号の説明】
【００５３】
（１）擬似餌
（２）・砂
（３）・包装袋
（４）・ペレット
（Ａ）・集魚用包装擬似餌
（Ｂ）・漁船
【図１】
0003722292.tif 000003
【図２】
0003722292.tif 000004
【図３】
0003722292.tif 000005
【図４】
0003722292.tif 000006
【図５】
0003722292.tif 000007
【図６】
0003722292.tif 000008
【図７】
0003722292.tif 000009
【図８】
0003722292.tif 000010
【図９】
0003722292.tif 000011